(57)【要約】【課題】ワイヤハーネス分岐構造における部品種類数を削減し低コスト化を図る。【解決手段】シート２０は幹線被覆部２１と分岐被覆部２２とを備え、分岐被覆部２２は、シート２０の長さ方向の一端から幅方向に間隔をあけて入れた第１〜第３スリット２３〜２５と第１〜第４の分割片２６〜２９からなる。シート２０の幹線被覆部２１を幹線１１Ａの外周に巻き付けて幅方向両端部を対向させて固着し、分岐被覆部２２は第１、第４分割片２６、２９を対向させて固着し、十字分岐の場合は一方の支線１２Ａを第２スリット２４に、他方の支線１２Ｂを第１スリット２３または第３スリット２５に通し、Ｔ字分岐の場合は支線１２を第１〜第３スリットのいずれか１つに通し、第２、第３分割片２７、２８で分岐箇所Ｐ１（Ｐ２）を覆うと共に、第２、第３分割片２７、２８の先端部を分岐箇所を超えて突出させて反対側幹線１１Ｂの外周に粘着テープ３５で巻き付けている。【選択図】図２
2010130796.tif 000002
【特許請求の範囲】
【請求項１】
ワイヤハーネスの幹線から支線の分岐箇所にかけて樹脂製のシートを巻き付けているワイヤハーネスの分岐構造であって、
前記シートは、前記幹線の外周に巻き付ける幹線被覆部と前記分岐箇所に巻き付ける分岐被覆部とを備えた帯状シートからなり、前記分岐被覆部は、シートの長さ方向の一端から幅方向に間隔をあけた３箇所の位置から長さ方向の所定位置まで第１〜第３スリットを入れて長さ方向の一側部に設けた第１〜第４の分割片からなり、これら分割片を設けていないシートの他の部分を前記幹線被覆部とし、
前記幹線被覆部は前記幹線の外周に巻き付けて幅方向両端部を対向させて固着し、
前記分岐被覆部は前記第２スリットを支点として二つ折りして第１、第４分割片を対向させて固着し、
前記幹線の中間位置から支線が両側に分岐した十字状分岐の場合は、一方の支線を第２スリットに、他方の支線を第１または第３スリットに通し、
前記幹線の中間位置から支線が一方側に分岐したＴ字状分岐の場合は、該支線を第１〜第３スリットのいずれか１つに通し、かつ、第２、第３分割片で前記分岐箇所を覆うと共に該第２、第３分割片の先端部を前記分岐箇所を超えて反対側の幹線の軸線方向に突出させ、該突出部分を前記反対側の幹線の外周に粘着テープで巻き付け固定していることを特徴とするワイヤハーネスの分岐構造。
【請求項２】
前記シートの一面側には、幅方向一端側に沿って長さ方向の全長にわたって粘着剤を塗布した粘着部を形成し、前記分岐被覆部の第１、第３スリットは、シートの幅方向両端縁から前記粘着部の幅と同一幅あけた位置に設けている請求項１に記載のワイヤハーネスの分岐構造。
【発明の詳細な説明】
【技術分野】
【０００１】
本発明は、ワイヤハーネスの分岐構造に関し、特に、ワイヤハーネスのＴ字状あるいは十字状の分岐箇所を外装材で被覆する構造に関するものである。
【背景技術】
【０００２】
自動車に配索するワイヤハーネスは、他の車載部品等の外部干渉を防止するために、所要箇所を塩化ビニルシート等の外装材で被覆することが行われている。
また、自動車に配索するワイヤハーネスは、所要位置で幹線から支線を分岐させ、車両に設置されている各電気機器に接続されるが、この分岐部分では、図４に示すように、幹線１や支線２を被覆する外装材３が分断され、外装材３から分岐部分が露出することになる。
【０００３】
このようなワイヤハーネスの分岐部分を保護するために、従来より、図５（Ａ）（Ｂ）に示す保護シート４のような分岐部用外装材が用いられている。保護シート４は、シートに縦横等の複数のスリット５を入れることにより複数の巻き付け片６ａ、６ｂを形成し、各巻き付け片６ａ、６ｂを幹線７と支線８に巻き付けて分岐部を覆うものである。（実開平３−３１１６号（特許文献１）参照）
【０００４】
しかしながら、この種の保護シート４は分岐部のみを覆うシートであり、幹線や支線を覆う外装材とは別体の別部品として使用することになるため、部品数が増えてコスト高となるうえ、部品管理の手間もかかる。また、幹線７の中間位置から両側に支線８を分岐させた十字状分岐の場合、図６に示すように、スリットの位置を変えた保護シート４を用いても分岐部分を完全の覆うことができず、露出部分９ができてしまうため、ハーネスを十分に保護できるとはいえない。
【０００５】
【特許文献１】実開平３−３１１６号公報
【発明の開示】
【発明が解決しようとする課題】
【０００６】
本発明は前記問題に鑑みてなされたもので、ワイヤハーネスの分岐構造において、分岐部を外装材で保護できると共に、外装材の部品数を削減して低コスト化を図り、かつ、該外装材をＴ字状分岐のみでなく十字状分岐にも対応可能なものとすることを課題としている。
【課題を解決するための手段】
【０００７】
前記課題を解決するために、本発明は、ワイヤハーネスの幹線から支線の分岐箇所にかけて樹脂製のシートを巻き付けているワイヤハーネスの分岐構造であって、
前記シートは、前記幹線の外周に巻き付ける幹線被覆部と前記分岐箇所に巻き付ける分岐被覆部とを備えた帯状シートからなり、前記分岐被覆部は、シートの長さ方向の一端から幅方向に間隔をあけた３箇所の位置から長さ方向の所定位置まで第１〜第３スリットを入れて長さ方向の一側部に設けた第１〜第４の分割片からなり、これら分割片を設けていないシートの他の部分を前記幹線被覆部とし、
前記幹線被覆部は前記幹線の外周に巻き付けて幅方向両端部を対向させて固着し、
前記分岐被覆部は前記第２スリットを支点として二つ折りして第１、第４分割片を対向させて固着し、
前記幹線の中間位置から支線が両側に分岐した十字状分岐の場合は、一方の支線を第２スリットに、他方の支線を第１または第３スリットに通し、
前記幹線の中間位置から支線が一方側に分岐したＴ字状分岐の場合は、該支線を第１〜第３スリットのいずれか１つに通し、かつ、第２、第３分割片で前記分岐箇所を覆うと共に該第２、第３分割片の先端部を前記分岐箇所を超えて反対側の幹線の軸線方向に突出させ、該突出部分を前記反対側の幹線の外周に粘着テープで巻き付け固定していることを特徴とするワイヤハーネスの分岐構造を提供している。
【０００８】
前記分岐構造とすることにより、ワイヤハーネスの前記分岐箇所を露出させることなく前記シートの第２、第３分割片で覆うことができるため、該分岐箇所を有効に保護することができる。また、幹線を被覆するシートの先端部で前記分岐箇所を被覆するため、従来のように分岐箇所用に幹線用シートとは別体のシートを用意する必要がなく、部品数を削減できると共に部品管理の手間も軽減でき、低コスト化を図ることができる。
【０００９】
また、前記分岐構造によれば、Ｔ字状の分岐箇所のみでなく十字状の分岐箇所でも前記シートで完全に被覆することができるため、一種類のシートでＴ字状分岐にも十字状分岐にも対応できる。よって、この点からも部品種類数を削減でき、低コスト化を図ることができる。
【００１０】
前記シートの一面側には、幅方向一端側に沿って長さ方向の全長にわたって粘着剤を塗布した粘着部を形成し、前記分岐被覆部の第１、第３スリットは、シートの幅方向両端縁から前記粘着部の幅と同一幅あけた位置に設けている。
【００１１】
このようにシートの幅方向一端側に粘着部を形成しておくことにより、ワイヤハーネスに巻き付けたシートの巻き閉じ作業を容易化でき、作業性を高めることができる。
また、シートの幅方向両端縁と前記第１、第３スリット間の幅を粘着部の幅と揃えているのは、シートの幅方向両端縁とスリット間の幅が粘着部の幅よりも小さい場合、シートを丸めて筒状にしたときに該筒体が前記粘着部によって第１、第３スリット側で閉じてしまい、該シートを十字状分岐に取り付けることができなくなり、シートの幅方向両端縁とスリット間の幅が粘着部の幅よりも大きい場合、シートを筒状にしたときに該筒体が第１、第３スリット側で大きく開きすぎてしまい、分岐箇所がシートから露出しやすくなることに因る。
【００１２】
なお、シートの一面側の全面に粘着剤を塗布し、幹線および分岐箇所の外周面に前記シートを固着させて巻き付ける構成としてもよい。
【発明の効果】
【００１３】
上述したように、本発明によれば、シートの長さ方向一端側に第１〜第３スリットを入れて第１〜第４分割片を形成していることにより、ワイヤハーネスの分岐箇所を前記シートの第２、第３分割片で覆うことができるため、該分岐箇所を露出させることなく有効に保護することができる。また、幹線に巻き付けるシートの先端部で分岐箇所を被覆するため、幹線用シートとは別体のシートを分岐箇所用に別途用意する必要がなくなる。よって、部品数を削減でき、部品管理の手間も軽減できるため、低コスト化を図ることができる。
【００１４】
さらに、前記シートは一種類でＴ字状の分岐箇所と十字状の分岐箇所の両方に使用でき、いずれの形状の分岐箇所も露出させることなく覆うことができるため、分岐箇所の形状に応じて異なるシートを用意する必要がなく、この点からも部品種類数を削減でき、低コスト化を図ることができる。
【発明を実施するための最良の形態】
【００１５】
以下、本発明の実施形態を図面を参照して説明する。
図１および図２に、本発明の第１実施形態に係るワイヤハーネスの分岐構造を示す。
本実施形態におけるワイヤハーネスの分岐箇所Ｐ１は、ワイヤハーネス１０の幹線１１の中間位置から両側に支線１２Ａ、１２Ｂを分岐させた十字状分岐であり、分岐箇所Ｐ１を挟んだ一方側の幹線１１Ａから分岐箇所Ｐ１にかけてシート２０を巻き付けて保護している。
【００１６】
前記シート２０は、図１に示すように、樹脂製の帯状シートからなる。該シート２０の一面側には、幅方向の一端縁に沿って全長にわたって粘着剤を塗布した粘着部３０を形成している。また、シート２０の長さ方向の一端側に分岐被覆部２２を形成し、他の部分を幹線被覆部２１としている。
【００１７】
前記分岐被覆部２２は、図１に示すように、シート２０の長さ方向の一端２０ａから該長さ方向に所要長さ切れ込んで形成した３本のスリット２３〜２５と、該スリット２３〜２５で分離された４枚の分割片２６〜２９からなる。
詳しくは、前記３本のスリット２３〜２５は、シート２０の前記粘着部３０を形成した側の一端２０ｂから幅方向に間隔をあけて順に第１スリット２３、第２スリット２４、第３スリット２５とし、シート２０の幅方向一端２０ｂと第１スリット２３に挟まれた部分を第１分割片２６、第１スリット２３と第２スリット２４に挟まれた部分を第２分割片２７、第２スリット２４と第３スリット２５に挟まれた部分を第３分割片２８、第３スリット２５とシート２０の幅方向他端２０ｃとに挟まれた部分を第４分割片２９としている。
【００１８】
前記第２スリット２４はシート２０の幅方向中間位置に形成している。前記第１スリット２３は、シート２０の前記粘着部３０を形成した側の一端２０ｂから間隔Ｌ１をあけた位置に形成し、第３スリット２５は、シート２０の前記粘着部３０を形成していない側の他端２０ｃから間隔Ｌ２をあけた位置に形成し、間隔Ｌ１、Ｌ２は、粘着部３０の幅Ｗ１と同一寸法としている。
【００１９】
前記第１スリット２３、第２スリット２４、第３スリット２５の長さは、後述する粘着テープ３５の巻き付け代と支線１２Ａ、１２Ｂの外径を考慮した長さに設定し、互いに同一長さとしている。
【００２０】
前記構成のシート２０をワイヤハーネス１０に取り付けるときは、まず、図２（Ａ）に示すように、シート２０の前記第２スリット２４の奥端２４ａ側に一方の支線１２Ａを挿通する。この状態で、図２（Ｂ）に示すように、シート２０の幹線被覆部２１を幹線１１Ａの外周に粘着部３０が内側となるように巻き付け、幹線被覆部２１の幅方向両端部を対向させて粘着部３０で固着することにより、該幹線被覆部２１で幹線１１Ａの外周を分岐箇所Ｐ１の根元まで被覆する。
同時に、シート２０の分岐被覆部２２は、第２スリット２４を支点として二つ折りにすると共に、第４分割片２９を他方の支線１２Ｂよりも第１分割片２６側に回りこませ、第１分割片２６と第４分割片２９を互いに対向させて粘着部３０で固着する。第１スリット２３と第３スリット２５とが連続一体化することにより形成される第４スリット３１に前記他方の支線１２Ｂを通し、続けて該支線１２Ｂを第３スリット２５の奥端２５ａ側に通す。このとき、第２分割片２７と第３分割片２８の先端部２７ａ、２８ａは分岐箇所Ｐ１を超えて反対側の幹線１１Ｂの軸線方向に突出させる。
【００２１】
最後に、図２（Ｃ）に示すように、粘着部３０によって互いに固着一体化した第１分割片２６と第４分割片２９を前記反対側幹線１１Ｂの外周に沿うように倒し、第２分割片２７の前記突出部分２７ａと第３分割片２８の前記突出部分２８ａと共に反対側幹線１１Ｂの外周に粘着テープ３５で一体にテープ巻き固定する。
【００２２】
このように、前記シート２０を用いた分岐構造によれば、十字状の分岐箇所Ｐ１を第２分割片２７と第３分割片２８で覆うことができるため、分岐箇所Ｐ１を露出させることなく外部干渉等から有効に保護することができる。
【００２３】
また、幹線１１Ａを被覆するシート２０の先端部で分岐箇所Ｐ１までを被覆する構造であるため、幹線１１Ａと分岐箇所Ｐ１とを１枚のシート２０で外装することができる。よって、幹線に取り付ける外装材とは別体の外装材を分岐箇所用に用意する必要がなくなり、部品数を削減できるとともに、部品管理の手間も軽減でき、コスト低減を図ることができる。
【００２４】
さらに、シート２０の幅方向一端２０ｂと第１スリット２３との間隔Ｌ１と、シート２０の幅方向他端２０ｃと第３スリット２５との間隔Ｌ２を、いずれも粘着部３０の幅Ｗ１と同一寸法としているため、第１分割片２６と第４分割片２９を粘着部３０で固着したときに、分岐被覆部２２が第１、第３スリット側で閉じてしまって支線１２Ｂを通すスリットがなくなることも、第１スリット２３と第３スリット２５が連続一体化して形成される前記第４スリット３１が大きく開きすぎて分岐箇所Ｐ１が外部に露出しやすくなることも防止できる。
【００２５】
図３（Ａ）（Ｂ）に、本発明の第２実施形態に係るワイヤハーネスの分岐構造を示す。
幹線１１の中間位置から一方向に支線１２を分岐させたＴ字状の分岐箇所Ｐ２に前記シート２０を取り付けている。シート２０の形状および構成は前記第１実施形態と同一であるため、同一符合を付して説明を省略する。
【００２６】
Ｔ字状の分岐箇所Ｐ２にシート２０を取り付けるときは、図３（Ａ）に示すように、一方の幹線１１Ａの外周に幹線被覆部２１を巻き付けて幅方向両端部を対向させて粘着部３０で固着すると共に、分岐被覆部２２を第２スリット２４を支点として二つ折りし、第１分割片２６と第４分割片２９を対向させて粘着部３０で固着し、支線１２を第３スリット２５の奥端２５ａ側に通す。次いで、第２分割片２７の突出部分２７ａと第３分割片２８の突出部分２８ａを反対側幹線１１Ｂの外周に粘着テープ３５で巻き付け固定するときに、図３（Ｂ）に示すように、該粘着テープ３５を分岐箇所Ｐ２を超えて幹線１１Ａの根元まで巻き付けることにより、第２スリット２４を全長にわたって閉じる。
【００２７】
このように、前記シート２０は、前記第１実施形態のような十字状の分岐箇所Ｐ１にも、本実施形態のようなＴ字状の分岐箇所Ｐ２にも、一種類のシート２０で対応でき、該シート２０によって十字状の分岐箇所Ｐ１もＴ字状の分岐箇所Ｐ２も露出させることなく被覆することができる。よって、前記分岐構造によれば、分岐箇所の形状によって異なる種類のシートを用意する必要がなくなるため、部品種類数を削減でき、低コスト化を図ることができる。
【００２８】
なお、本発明は前記実施形態に限定されるものではない。前記いずれの実施形態においても、支線１２（１２Ｂ）を第３スリット２５ではなく第１スリット２３に通してもよい。また、Ｔ字状分岐部Ｐ２にシート２０を取り付けるときは、支線１２を第２スリット２４に通して第１スリット２３と第３スリット２５を粘着テープ３５で閉じる構成としてもよい。
【図面の簡単な説明】
【００２９】
【図１】本発明の第１実施形態に係るシートの平面図である。
【図２】（Ａ）〜（Ｃ）は図１に示すシートを十字状の分岐箇所に取り付ける手順を示す説明斜視図である。
【図３】本発明の第２実施形態を示し、（Ａ）（Ｂ）は、図１に示すシートをＴ字状の分岐箇所に取り付ける手順を示す説明斜視図である。
【図４】従来例の問題点を示す図である。
【図５】他の従来例を示す図である。
【図６】他の従来例の問題点を示す図である。
【符号の説明】
【００３０】
１０  ワイヤハーネス
１１（１１Ａ、１１Ｂ）  幹線
１２（１２Ａ、１２Ｂ）  支線
２０  シート
２１  幹線被覆部
２２  分岐被覆部
２３〜２５  第１〜第３スリット
２６〜２９  第１〜第４分割片
３０  粘着部
３５  粘着テープ
Ｐ１  十字状分岐箇所
Ｐ２  Ｔ字状分岐箇所
【図１】
2010130796.tif 000003
【図２】
2010130796.tif 000004
【図３】
2010130796.tif 000005
【図４】
2010130796.tif 000006
【図５】
2010130796.tif 000007
【図６】
2010130796.tif 000008